(57)【要約】【課題】整合パルス整形フィルタを備える受信機を提供すること。【解決手段】通信受信機が、整合パルス整形フィルタにより濾波されていない信号を受信する。受信機中で、回路要素が受信信号を処理し、この処理の一部として、処理した受信信号中に追加の線形歪みを導入する。回路要素に結合された整合フィルタが、受信信号のパルス形状に固有の歪みと、回路要素により導入された歪みとを補償された、完全に整合した濾波済み信号を生成する。【選択図】　　　図１
2004080757.tif 000002
【特許請求の範囲】
【請求項１】
整合パルス整形フィルタにより濾波されていないパルス信号を受信するための通信受信機であって、
前記受信信号を処理し、前記処理した受信パルス信号中に追加の線形歪みを導入するための回路要素と、
前記回路要素に結合された整合フィルタであって、前記受信信号のパルス形状に固有の歪みと前記回路要素により導入された歪みとが補償されて完全に整合した濾波済み信号を生成するための整合フィルタとを含んでいる通信受信機。
【請求項２】
前記受信パルス信号は、平方根二乗余弦の周波数特性を呈し、
前記処理された受信パルス信号は、第１のスペクトル領域では前記平方根二乗余弦の周波数特性を呈し、第２のスペクトル領域では歪んだ平方根二乗余弦の周波数特性を呈し、
前記整合フィルタは、前記第１のスペクトル領域では平方根二乗余弦の応答特性を呈し、前記第２のスペクトル領域では変更された平方根二乗余弦の特性を呈し、それにより前記処理された受信信号の前記第２のスペクトル領域中の歪みが補償される、請求項１に記載の受信機。
【請求項３】
前記受信パルス信号は、平方根二乗余弦の周波数特性を呈し、
前記整合フィルタは、前記回路要素により導入された前記追加の歪みを補償するように変更された平方根二乗余弦の周波数応答特性を呈する、請求項１に記載の受信機。
【請求項４】
テレビジョン信号を受信するための、ＡＴＳＣ標準方式による高精細度テレビジョン受信機であって、
整合パルス整形フィルタにより濾波されていないパルス信号を生成する受信機フロント・エンドと、
前記受信機フロント・エンドに結合された搬送波トラッキング・ループであって、前記パルス信号をベースバンドに変換し、前記ベースバンド・パルス信号に追加の線形歪みを導入するための搬送波トラッキング・ループと、
前記搬送波トラッキング・ループに結合された整合パルス整形フィルタであって、前記受信機フロント・エンドからの信号パルスの形状に固有の歪みと前記搬送波トラッキング・ループにより導入された歪みとが補償されて完全に整合した濾波済みパルス信号を生成するための整合パルス整形フィルタと、
前記整合フィルタに結合された受信機バック・エンドであって、前記テレビジョン信号のビデオ成分により表わされる画像と前記テレビジョン信号のオーディオ成分により表される音声とを生成するための受信機バック・エンドとを含んでいる、高精細度テレビジョン受信機。
【請求項５】
前記受信機フロント・エンドからの前記パルス信号は、正と負の周波数スペクトル像を有するベースバンド近傍の信号であり、各スペクトル像は、限られた帯域幅を有し、低周波数帯域のエッジでスカート状を呈し、
前記搬送波トラッキング・ループは、前記スカート状の部分がＤＣ付近で重なるように前記正と負の周波数スペクトル像をベースバンドに変換して、ＤＣ付近では前記追加の歪みを生み出し、他の位置では追加の歪みを生み出さない、請求項４に記載の受信機。
【請求項６】
前記受信機フロント・エンドからの前記パルス信号は平方根二乗余弦の周波数特性を呈し、
前記ベースバンド・パルス信号は、ＤＣ付近では歪んだ平方根二乗余弦の周波数特性を呈し、他の位置では平方根二乗余弦の周波数特性を呈し、
前記整合フィルタは、ＤＣ付近では、ＤＣ付近の前記歪みを補償するように変更された変更済み平方根二乗余弦の応答特性を呈し、他の位置では平方根二乗余弦の応答特性を呈する、請求項５に記載の受信機。
【請求項７】
ＤＣ付近の前記追加の歪みは、ピークであり、
前記整合フィルタはＤＣ付近で対応する谷を呈する、請求項５に記載の受信機。
【請求項８】
前記受信機フロント・エンドからの前記信号は、更に、前記ベースバンド近傍の信号の前記正と負の周波数スペクトル像の低周波数のスカート状の部分の内側の周波数に位置するそれぞれの正と負の周波数像を有するパイロット・トーンを含んでおり、
前記搬送波トラッキング・ループは、前記正と負のパイロット・トーン像がＤＣに変換されるように、前記正と負の周波数スペクトル像を変換する、請求項５に記載の受信機。
【請求項９】
前記整合パルス整形フィルタの周波数応答Ｓ（ｆ）が、以下のタイプであり、
【数１】
2004080757.tif 000008
上式で、ｆは周波数（Ｈｚ）であり、βはロールオフ・パラメータであり、０≦β≦１であり、Ｋは定数であり、Ｔ＝１／Ｂであり、Ｂは前記受信信号の通過帯域の帯域幅（Ｈｚ）である、請求項６に記載の受信機。
【発明の詳細な説明】
【０００１】
【発明の属する技術分野】
本出願は、ディジタル通信受信機における整合パルス整形フィルタ（ｍａｔｃｈｅｄ　ｐｕｌｓｅ　ｓｈａｐｉｎｇ　ｆｉｌｔｅｒ）に関し、より詳細には、高精細度テレビジョン（ＨＤＴＶ）受信機における整合パルス整形フィルタに関する。
【０００２】
【従来の技術】
ディジタル通信の分野では、データ・ビットがグループ化されてディジタル・シンボルが形成される。次いで、各シンボル（ｓｙｍｂｏｌ：符号）は、対応するパルス形状で表わされ、このようなパルスの列を使用して、選択された変調フォーマットに従って搬送波を変調する。このようなディジタル通信システムの１つは、米国に於て、アドバンスト・テレビジョン・システムズ委員会（ＡＴＳＣ：Ａｄｖａｎｃｅｄ　Ｔｅｌｅｖｉｓｉｏｎ　Ｓｙｓｔｅｍｓ　Ｃｏｍｍｉｔｔｅｅ）により採用されている現在の高精細度テレビジョン（ＨＤＴＶ）放送標準方式であり、これは１９９５年９月１６日発行の「ＡＴＳＣディジタル・テレビジョン標準（ＡＴＳＣ　Ｄｉｇｉｔａｌ　Ｔｅｌｅｖｉｓｉｏｎ　Ｓｔａｎｄａｒｄ）」文書Ａ／５３に記載されている。ＡＴＳＣ−ＨＤＴＶ標準方式では、各シンボルが３個または４個のデータ・ビットを表わし、その結果、それぞれ８または１６シンボルの信号コンステレーション（ｃｏｎｓｔｅｌｌａｔｉｏｎ：座標配置）になる。更に、各シンボルは、平方根二乗余弦（ｓｑｕａｒｅ−ｒｏｏｔ　ｒａｉｓｅｄ　ｃｏｓｉｎｅ）の形状および１１．５％のロールオフ（ｒｏｌｌ−ｏｆｆ）を有するパルスで表わされる。採用される変調フォーマットは、それぞれ８または１６レベルの振幅、即ち、８個または１６個の起こり得るシンボルを有する抑圧搬送波残留側波帯変調（８−ＶＳＢまたは１６−ＶＳＢ）である。更に、抑圧搬送波周波数の、小さな同相パイロットが信号に追加される。これは平均信号電力よりも１１．３ｄＢ低い。
【０００３】
シンボル表現パルスの形状の選択に関連する重要な性質は、シンボル（符号）間干渉（ＩＳＩ：ＩｎｔｅｒＳｙｍｂｏｌ　Ｉｎｔｅｒｆｅｒｅｎｃｅ）を最小限に抑えることである。シンボル間干渉（ＩＳＩ）は、あるシンボルを表わすパルスが、時間的に囲んでいるシンボルを表わすパルスと干渉を起こすときに起こり、伝送されたシンボル系列の回復を損ねる。具体的には、ナイキスト・パルス（Ｎｙｑｕｉｓｔ　ｐｕｌｓｅ）として説明されるパルスは、シンボル周期ＴＳの零（０）でない倍数で零（ゼロ）交差を有し、隣接するシンボルと干渉を起こさず、従って、シンボル間干渉（ＩＳＩ）はない。実際に重要なナイキスト・パルスの１つは、二乗余弦パルス（ｒａｉｓｅｄ　ｃｏｓｉｎｅ　ｐｕｌｓｅ：コサイン二乗パルス）である。というのは、そのスペクトルが平滑であり、フィルタ実現が容易だからである。実際の通信システムで使用される最も一般的なパルス形状は、平方根二乗余弦パルス（ｓｑｕａｒｅ−ｒｏｏｔ　ｒａｉｓｅｄ　ｃｏｓｉｎｅ　ｐｕｌｓｅ：ルート・コサイン二乗パルス）であり、これは、二乗余弦パルスのスペクトルの平方根をとることにより形成される。このパルス整形フィルタは、二乗余弦パルスのスペクトル特性を送信機と受信機の間で等しく分割するために、送信機と受信機の両方で使用される。２つの平方根二乗余弦フィルタを共に縦続接続することにより（一方のフィルタは、送信機中で、他方のフィルタは、受信機中で）、平方根二乗余弦パルス・スペクトルは、二乗され、従って、シンボル間干渉（ＩＳＩ）のない所望の二乗余弦パルスの正味（ｎｅｔ）システム応答を生成する。更に、これらのフィルタは、中心係数（タップ）の周りで均等であるので、両方のフィルタを縦続接続することは、整合濾波する動作を行うことと等価であり、これにより、受信機の整合フィルタ（ｍａｔｃｈｅｄｆｉｌｔｅｒ）、即ち、受信機の平方根二乗余弦フィルタの出力における信号対雑音比（ＳＮＲ：Ｓｉｇｎａｌ−ｔｏ−Ｎｏｉｓｅ　Ｒａｔｉｏ）が最大限になる。
【０００４】
ＡＴＳＣ−ＨＤＴＶ標準方式では、高精細度テレビジョン（ＨＤＴＶ）受信機のための構成が、提案されている。提案されている構成では、中間周波（ＩＦ）段が、前述の平方根二乗余弦フィルタ特性を呈するパルス形状の、ベースバンド近傍の残留側波帯（Ｖｅｓｔｉｇｉａｌ　ＳｉｄｅＢａｎｄ：ＶＳＢ）信号を生成する。中間周波（ＩＦ）段の後には、復調器（ｄｅｍｏｄｕｌａｔｏｒ）が続くが、この復調器は、以下の主要な機能を含んでいる。即ち、ベースバンド近傍の信号をサンプリングするアナログ・ディジタル変換機（ＡＤＣ）と、サンプリングした信号をベースバンドにダウンコンバートし、送信機の搬送波と受信機チューナの局部発振器（ＬＯ：Ｌｏｃａｌ　Ｏｓｃｉｌｌａｔｏｒ）との間に周波数オフセットがあれば補正する搬送波トラッキング・ループ（ＣＴＬ：Ｃａｒｒｉｅｒ　Ｔｒａｃｋｉｎｇ　Ｌｏｏｐ）と、シンボル・タイミングを検出し、サンプル周波数をシンボル・レートに変換するシンボル・トラッキング・ループ（ＳＴＬ：Ｓｙｍｂｏｌ　Ｔｒａｃｋｉｎｇ　Ｌｏｏｐ）と、受信信号内のフレームおよびセグメントを検出する同期検出器（ｓｙｎｃｈｒｏｎｉｚａｔｉｏｎ　ｄｅｔｅｃｔｏｒ）と、通信チャネルまたは追加の濾波により受信信号中に導入される線形歪みを補償する等化器（ｅｑｕａｌｉｚｅｒ）である。
【０００５】
整合パルス整形フィルタ（ｍａｔｃｈｅｄ　ｐｕｌｓｅ　ｓｈａｐｉｎｇ　ｆｉｌｔｅｒ）を、復調器中のどこかに配置することが望ましい。これまでに、幾つかの位置が提案されてきたが、各位置には、利点と欠点がある。第１に、整合フィルタは、アナログ・フィルタとして実現してアナログ・ディジタル変換器（ＡＤＣ）の前に配置するか、ディジタル・フィルタとしてアナログ・ディジタル変換器（ＡＤＣ）の後に配置することができる。しかし、フィルタがこの２つの位置のどちらかに配置された場合、その入力信号は、搬送波トラッキング・ループ（ＣＴＬ）により補正される前の、送信機の搬送波と受信機チューナの局部発振器（ＬＯ）との間の搬送波周波数オフセットを受け易い。具体的には、ＡＴＳＣ−ＨＤＴＶ標準方式では、ロールオフ係数が非常に小さいので（１１．５％）、スペクトル（〜３１０ＫＨｚ）の各側のパルス超過帯域幅は、起こり得る周波数オフセット（５０〜１００ＫＨｚ）の大きさ程度である。従って、このようなオフセットは、先立つ補正のために、搬送波オフセット情報が、チューナにフィードバックされない限り、回復不可能な歪みを受信信号中に導入する可能性がある。
【０００６】
第２に、整合フィルタは、ベースバンド・ディジタル・フィルタとして実現して、搬送波トラッキング・ループ（Ｃａｒｒｉｅｒ　Ｔｒａｃｋｉｎｇ　Ｌｏｏｐ：ＣＴＬ）の後に配置することもできる。しかし、平方根二乗余弦入力信号をベースバンドにダウンコンバートする搬送波トラッキング・ループ（ＣＴＬ）動作は、信号中に線形歪みを導入し、それにより、別の平方根二乗余弦フィルタがもはや理想的な整合フィルタでは無くなる。第３に、整合フィルタは、シンボル・トラッキング・ループ（Ｓｙｍｂｏｌ　Ｔｒａｃｋｉｎｇ　Ｌｏｏｐ：ＳＴＬ）の後に配置することもできる。この位置に配置した場合、シンボル・トラッキング・ループ（ＳＴＬ）の性能は、信号中のシンボル間干渉（ＩＳＩ）により悪影響を受けることがあり、これは、シンボル・トラッキング・ループ（ＳＴＬ）が、判定指向（ｄｅｃｉｓｉｏｎ　ｄｉｒｅｃｔｅｄ）である場合にはより一層顕著である。第４に、整合フィルタは、バイパスすることもでき、その機能は、等化器により実行することができる。
【０００７】
理想的には、等化器は、そのタップ（ｔａｐ）を使用して多重経路およびその他の予測不可能な線形歪みを補償するべきである。等化器を使用して整合フィルタも実現する場合、等化器に追加の負担がかかる。この負担により、等化器は、通常であれば補償できる多重経路（ｍｕｌｔｉｐａｔｈ）およびその他の線形歪み（ｌｉｎｅａｒ　ｄｉｓｔｏｒｔｉｏｎ）を補償することができなくなる恐れがある。
【０００８】
【発明が解決しようとする課題】
整合パルス整形フィルタを復調器中の最も有利な位置に配置し、そのフィルタ特性を変更して最適な性能を提供することが望ましい。以下で、等化器は、通信チャネル（例えば、多重経路伝搬）により導入された（未知の）線形歪みを補正するものとし、整合パルス整形フィルタの機能は、パルス形状に関連する（既知の）線形歪みを補正するものとする。
【０００９】
【課題を解決するための手段】
本発明の原理によると、通信受信機が、整合パルス整形フィルタにより濾波されていない信号を受信する。受信機中で、回路要素は、受信信号を処理し、この処理の一部として、処理した受信信号中に追加の線形歪みを導入する。回路要素に結合される整合フィルタは、受信信号のパルス形状に固有の歪みと、回路要素により導入される歪みとを補償した、完全に整合した濾波済み信号を生成する。
【００１０】
【発明の実施の形態】
図１は、本発明の原理による高精細度テレビジョン（ＨＤＴＶ）受信機の一部のブロック図である。図１では、入力端子５が、受信機フロント・エンド（図示せず）の出力端子に結合されている。受信機フロント・エンドは、アンテナなど無線周波数（ＲＦ）変調済み高精細度テレビジョン（ＨＤＴＶ）信号源と、無線周波数（ＲＦ）増幅器段と、無線周波数（ＲＦ）検出器と、中間周波（ＩＦ）増幅器段を含んでいる。受信機フロント・エンドは、前述のように平方根二乗余弦の濾波特性を呈する形状の連続的なシンボル表現パルスを含む、ベースバンド近傍の残留側波帯（Ｖｅｓｔｉｇｉａｌ　ＳｉｄｅＢａｎｄ：ＶＳＢ）信号を提供する。受信機フロント・エンドからの信号はまた、すべて周知の方法で、所定の周波数のパイロット・トーンも含んでいる。
【００１１】
入力端子５は、アナログ・ディジタル変換器（ＡＤＣ）２０２、搬送波トラッキング・ループ（ＣＴＬ）２０４、整合パルス整形フィルタ２１４、シンボル・トラッキング・ループ（ＳＴＬ）２０６、等化器２１０、位相トラッキング・ループ（ＰＴＬ）２１２に縦続接続に結合されている。シンボル・トラッキング・ループ（ＳＴＬ）２０６の出力端子は、更に、同期検出器２０８の入力端子に結合されている。同期検出器２０８の出力端子は、出力端子２５を介して、等化器２１０のクロック入力端子および高精細度テレビジョン（ＨＤＴＶ）システム中の他の回路要素（図示せず）に結合されている。
【００１２】
位相トラッキング・ループ（ＰＴＬ）２１２の出力端子は、出力端子１５に結合されている。出力端子１５は、受信機バック・エンド（図示せず）に結合されている。受信機バック・エンドは、トレリス・デコーダ、データ・デインタリーバ、リードソロモン・デコーダ、デスクランブラ、並びに、ＨＤＴＶ信号のビデオ成分により表わされる画像とオーディオ成分により表される音声とを生成するための回路を、すべて周知の方法で含んでいる。
【００１３】
図２のａ）〜ｄ）は、図１に示した受信機部分の動作を理解する上で有用なスペクトル図である。動作時、アナログ・ディジタル変換器（ＡＤＣ）２０２は、アナログ中間周波（ＩＦ）出力信号を、受信機フロント・エンドからのベースバンド近傍の信号を表わす多ビット・ディジタル・サンプルのストリームに変換する。図示の実施例に於ては、アナログ・ディジタル変換器（ＡＤＣ）２０２は、２７ＭＨｚのサンプリング周波数で動作する。図２のａ）には、アナログ・ディジタル変換器（ＡＤＣ）２０２からのベースバンド近傍の信号を表わす両側スペクトルを示す。図２のａ）のスペクトルは、シンボル表現信号のスペクトル成分３０２（および負の像３０６）を含んでいる。前述のように、このスペクトル成分は、周知の数学的記述の平方根二乗余弦形状、および５．３８ＭＨｚ前後の帯域幅を有する。更に、中間周波（ＩＦ）出力信号には、パイロット・トーン３０４（および負の像３０８）も含まれている。図示の実施例では、パイロット・トーンは、２．６９ＭＨｚまたはその付近に位置する。
【００１４】
搬送波トラッキング・ループ（ＣＴＬ）２０４もまた、２７ＭＨｚのサンプリング周波数で動作し、受信したサンプル・ストリームを処理して、サンプル・ストリームで表わされる信号をベースバンドにダウンコンバートし、送信機搬送波と受信機チューナ局部発振器（ＬＯ）との間の周波数オフセットを補正する。このために、搬送波トラッキング・ループ（ＣＴＬ）２０４は、パイロット・トーン３０４／３０８を検出し、パイロット・トーンの位置がＤＣ（直流）に維持されるように受信信号の周波数を変換する。その結果得られるスペクトルを図２のｂ）に示す。図２のｂ）で、パイロット・トーン３０４／３０８の位置は、ＤＣに示されており、シンボル表現信号の、変換された正のスペクトル成分３０２および負のスペクトル成分３０６が、別々に示されている。パイロット・トーン３０４／３０８のエネルギーが、ＤＣにあることにより、信号中にＤＣオフセットが生じ、これは、搬送波トラッキング・ループ（ＣＴＬ）２０４内のＤＣ除去回路により周知の方法で除去される。
【００１５】
その結果得られる合成スペクトル３１０を図２のｃ）に示す。この合成スペクトルは、５．３８ＭＨｚ前後のベースバンド帯域幅を有する。搬送波トラッキング・ループ（ＣＴＬ）２０４からの信号の周波数特性を、以下の式（１）に示す。
【数２】
2004080757.tif 000003
上式で、Ｈ（ｆ）は、シンボル表現パルスのスペクトル成分の周波数特性であり、ｆは周波数（Ｈｚ）であり、βは、伝送された平方根二乗余弦パルスのロールオフ・パラメータであり、０≦β≦１であり、Ｔ＝１／５．３８ＭＨｚ＝２＊ＴＳである。
【００１６】
式（１）の最下行は、周波数位置ｆ２＝（（２−β）／２Ｔ）からｆ３＝（（２＋β）／２Ｔ）まで、およびｆ５＝（−（２−β）／２Ｔ）からｆ６＝（−（２＋β）／２Ｔ）までの、合成スペクトル３１０の外側のスカート状の部分３１２および３１４をそれぞれ表わしている。式（１）の最上行は、周波数位置ｆ１＝（β／２Ｔ）からｆ２＝（（２−β）／２Ｔ）まで、およびｆ４＝（−β／２Ｔ）からｆ５＝（−（２−β）／２Ｔ）までの、合成スペクトル３１０の一定部分３１８および３２０をそれぞれ表わしている。合成スペクトル３１０の外側のスカート状の部分３１２および３１４と一定部分３１８および３２０が、平方根二乗余弦特性と一致することは、当業者であれば気付き、理解される。
【００１７】
しかし、ＤＣ付近の周波数領域、即ち、ｆ４＝（−β／２Ｔ）とｆ１＝（β／２Ｔ）の間では、正のスペクトル３０２と負のスペクトル３０６（図２のｂ））からの残留側波帯が重なる。式（１）の真ん中の行は、合成スペクトル３１０のＤＣ付近の周波数特性３１６を表わしている。この重なりは、スペクトル３１０中の−β／２Ｔとβ／２Ｔの間に、ＤＣで√２＝１．４１４に等しいピークを生じる。これは、平方根二乗余弦特性の歪みである。
【００１８】
整合パルス整形フィルタ２１４は、搬送波トラッキング・ループ（ＣＴＬ）２０４の実際の（同相の）出力を濾波するものであり、図２のｃ）に示したような周波数特性３１０中の−β／２Ｔとβ／２Ｔの間の歪みを補償するように変更される平方根二乗余弦の濾波特性を呈するディジタル・フィルタとして実現される。このピークを補償するフィルタ特性３３０を図２のｄ）に示す。このフィルタ特性は、ＤＣ付近で谷を呈し、この谷は、合成スペクトル３１０の周波数特性におけるＤＣ付近のピークを補償する。整合パルス整形フィルタ２１４の数学的記述は、以下の式（２）から導出することができる。
【数３】
2004080757.tif 000004
上式で、Ｓ（ｆ）は、必要とされる整合フィルタ特性であり、Ｈ（ｆ）は、図２のｃ）に示し、式（１）に表わしたような、搬送波トラッキング・ループ（ＣＴＬ）２０４からの出力信号の周波数特性であり、Ｋは、定数であり、ＲＣ（ｆ）は、所望の既知の二乗余弦周波数特性である。即ち、特性Ｓ（ｆ）を有する整合フィルタを、特性Ｈ（ｆ）を有する搬送波トラッキング・ループ（ＣＴＬ）２０４からの信号に適用することにより、定数の係数Ｋでスケール化された、所望の二乗余弦フィルタ特性ＲＣ（ｆ）を有する信号が生成される。
【００１９】
式（１）および（２）から、当業者であれば以下の整合フィルタ特性を導出することができる。
【数４】
2004080757.tif 000005
上式で、ｆ、β、Ｋ、Ｔは、上記の式（１）および（２）の場合と同じ意味を有する。
【００２０】
上記の式（１）と同様、式（３）の最下行は、整合フィルタ２１４の特性Ｓ（ｆ）のスカート状の部分を表わしており、式（３）の最上行は、整合フィルタ２１４の特性Ｓ（ｆ）の一定部分を表わしている。上記の式（１）の場合のように、これらは標準的な平方根二乗余弦の整合フィルタ特性と同じである。従って、これらの周波数範囲のＳ（ｆ）＊Ｈ（ｆ）は、所望の二乗余弦周波数特性ＲＣ（ｆ）を再生することになる。
【００２１】
式（３）の真ん中の部分は、周波数ｆ４＝（−β／２Ｔ）から周波数ｆ１＝（β／２Ｔ）までのＤＣ付近の整合フィルタ２１４特性Ｓ（ｆ）を表わしている。ＤＣ付近のＳ（ｆ）＊Ｈ（ｆ）は、定数Ｋになり、これはＤＣ付近で所望の二乗余弦周波数特性ＲＣ（ｆ）を再生することは、当業者であれば理解される。
【００２２】
従って、式（２）により表わされ、図２のｃ）に示した、搬送波トラッキング・ループ（ＣＴＬ）２０４により生成されるシンボル表現信号Ｈ（ｆ）に、式（３）により表わされ、図２のｄ）に示した整合フィルタ２１４特性Ｓ（ｆ）が適用されたとき、即ち、Ｓ（ｆ）＊Ｈ（ｆ）は、所望の二乗余弦周波数特性ＲＣ（ｆ）を達成し、また、搬送波トラッキング・ループ（ＣＴＬ）２０４の動作によりシンボル表現信号中に導入される線形歪みを補償する。
【００２３】
式（２）および（３）中のすべての項に乗じる定数の係数Ｋは、当該の基本的なパルス形状は変更せずに、信号利得だけに影響を及ぼすことは、当業者であれば理解される。従って、やはり同じ結果が当てはまる。
【００２４】
式（３）により表わされ、図２のｄ）に示した周波数応答Ｓ（ｆ）を実現する、固定点の実現可能な整合フィルタ２１４の一例は、周波数特性Ｓ（ｆ）に対応する時間インパルス応答ｓ（ｔ）を計算し、このインパルス応答ｓ（ｔ）を用いてディジタル・フィルタについての係数を導出することにより、周知の方法で設計することができる。時間インパルス応答ｓ（ｔ）をＳ（ｆ）から分析的に導出することは、処理が困難である。しかし、数値的方法を用いることにより、このようなインパルス応答ｓ（ｔ）は、容易に導出することができる。
【００２５】
式（３）により表わされ、図２のｄ）に示した周波数応答Ｓ（ｆ）に、逆高速フーリエ変換（ＩＦＦＴ）を適切なパラメータと共に適用する。マスワークス社（ＭａｔｈＷｏｒｋｓ，Ｉｎｃ．）製のＭａｔｌａｂ（米国における登録商標）など、利用可能な幾つかの数学ソフトウェア・パッケージの何れかを使用して、式（３）の周波数応答Ｓ（ｆ）に基づいてインパルス応答ｓ（ｔ）を導出することができる。図示の実施例では、所望の整合フィルタ２１４特性Ｓ（ｆ）に対して、サンプル数Ｎ＝８１９２およびサンプル周波数２７ＭＨｚで逆高速フーリエ変換（ＩＦＦＴ）を計算する。得られる逆高速フーリエ変換（ＩＦＦＴ）を、長さＮＫ＝１５１および形状パラメータα＝４のカイザー窓（Ｋａｉｓｅｒ　ｗｉｎｄｏｗ）で処理して、インパルス応答ｓ（ｔ）を生成する。
【００２６】
その結果得られるインパルス応答ｓ（ｔ）を１０ビットに打ち切る結果、表１（下記）に示すように、１０５個の係数の表示が得られる。表１では、係数Ｃ０〜Ｃ１０４が、１０ずつの行に表示されており、第１の行は係数Ｃ０〜Ｃ９を表示し、第２の行は係数Ｃ１０〜Ｃ１９を表示し、以下同様となっている。係数Ｃ５２は中心係数であり、他の係数はこの中心係数Ｃ５２について対称である。
【００２７】
指定された信頼性レベルに応じて、係数の数および１係数あたりのビット数が異なるその他のフィルタの例も導出できることは、当業者であれば理解される。信頼性（ｒｅｌｉａｂｉｌｉｔｙ）は、導出された係数から得られるフィルタ・スペクトルが、式（３）により示される所望のスペクトルにどのくらい近いかにより測定することができる。
【表１】
2004080757.tif 000006
【００２８】
以上、詳述した整合フィルタ２１４は、搬送波トラッキング・ループ（ＣＴＬ）２０４の出力におけるパルス形状によるシンボル間干渉（ＩＳＩ）を最小限に抑えるのに必要な整合濾波機能を提供する。図１に示した高精細度テレビジョン（ＨＤＴＶ）受信機部分の残りは、整合フィルタ２１４からの整合濾波済み信号に対して周知の方法で動作する。シンボル・トラッキング・ループ（ＳＴＬ）２０６は、伝送されたシンボルの時間位置を検出し、サンプル周波数をシンボル・レートに変換する。図示の実施例では、シンボル・レートは、１０．７６ＭＨｚである。等化器２１０は、シンボル表現サンプルを分析し、通信チャネルおよび追加の濾波によりシンボル表現信号中に導入される多重経路およびその他の線形歪みを補償する。位相トラッキング・ループ（ＰＴＬ）２１２は、搬送波トラッキング・ループ（ＣＴＬ）によりトラッキングされなかった位相雑音を補正して、等化されたシンボル表現信号の位相を調整し、それによりシンボルが受信機バック・エンドにより正確に検出され処理されるようにする。同期検出器２０８は、すべて周知の方法で、シンボル表現信号を分析して、フレームおよびフレーム内のセグメントを検出し、高精細度テレビジョン（ＨＤＴＶ）受信機についての全体的な時間同期を実現する。
【００２９】
前述の高精細度テレビジョン（ＨＤＴＶ）受信機構成では、整合パルス整形フィルタ２１４を搬送波トラッキング・ループ（ＣＴＬ）２０４の後およびシンボル・トラッキング・ループ２０６の前に配置している。整合フィルタ２１４は、前述のように他の位置に配置してもよい。ただし、他の位置に関連する更なる問題があるため、この位置が好ましい。特に、搬送波トラッキング・ループ（ＣＴＬ）２０４の後の何れかの位置に配置した場合、式（３）に示した周波数応答特性を整合フィルタ中で実現して、搬送波トラッキング・ループ（ＣＴＬ）２０４の出力に存在する信号歪みを補償することができる。更に、他の回路要素により導入される他の既知の線形歪みを整合フィルタ２１４中で補償することもできる。
【００３０】
式（３）により表わされる特定の整合フィルタ設計は、ＡＴＳＣ−ＨＤＴＶ標準以外にも、平方根二乗余弦パルス整形および残留側波帯（ＶＳＢ）変調をサポートする他のディジタル通信システムにも適用され得ることは、当業者であれば理解される。これらのシステムでは、整合されていない搬送波トラッキング・ループ（ＣＴＬ）出力が、式（１）を満たす。特に、この設計は、システム中に存在する可能性のある周波数オフセットが、ほぼパルス超過帯域幅の大きさ程度であるシステムにおいて重要である。これらのシステムでは、整合フィルタを、搬送波トラッキング・ループ（ＣＴＬ）の前に配置する場合、整合フィルタ出力における重大な歪みを回避するために、周波数オフセット情報を搬送波トラッキング・ループ（ＣＴＬ）からチューナにフィードバックする必要がある。
【００３１】
以下に他の実施例を例示する。
（１）整合パルス整形フィルタにより濾波されていないパルス信号を受信するための通信受信機であって、
前記受信信号を処理し、前記処理した受信パルス信号中に追加の線形歪みを導入するための回路要素と、
前記回路要素に結合された整合フィルタであって、前記受信信号のパルス形状に固有の歪みと前記回路要素により導入された歪みとが補償されて完全に整合した濾波済み信号を生成するための整合フィルタとを含んでいる通信受信機。
（２）前記受信パルス信号は平方根二乗余弦の周波数特性を呈し、
前記処理された受信パルス信号は、第１のスペクトル領域では前記平方根二乗余弦の周波数特性を呈し、第２のスペクトル領域では歪んだ平方根二乗余弦の周波数特性を呈し、
前記整合フィルタは、前記第１のスペクトル領域では平方根二乗余弦の応答特性を呈し、前記第２のスペクトル領域では変更された平方根二乗余弦の特性を呈し、それにより前記処理された受信信号の前記第２のスペクトル領域中の歪みが補償される、（１）に記載の受信機。
（３）前記受信パルス信号は平方根二乗余弦の周波数特性を呈し、
前記整合フィルタは、前記回路要素により導入された前記追加の歪みを補償するように変更された平方根二乗余弦の周波数応答特性を呈する、（１）に記載の受信機。
（４）テレビジョン信号を受信するための、ＡＴＳＣ標準方式による高精細度テレビジョン受信機であって、
整合パルス整形フィルタにより濾波されていないパルス信号を生成する受信機フロント・エンドと、
前記受信機フロント・エンドに結合された搬送波トラッキング・ループであって、前記パルス信号をベースバンドに変換し、前記ベースバンド・パルス信号に追加の線形歪みを導入するための搬送波トラッキング・ループと、
前記搬送波トラッキング・ループに結合された整合パルス整形フィルタであって、前記受信機フロント・エンドからの信号パルスの形状に固有の歪みと前記搬送波トラッキング・ループにより導入された歪みとが補償されて完全に整合した濾波済みパルス信号を生成するための整合パルス整形フィルタと、
前記整合フィルタに結合された受信機バック・エンドであって、前記テレビジョン信号のビデオ成分により表される画像と前記テレビジョン信号のオーディオ成分により表される音声とを生成するための受信機バック・エンドとを含んでいる、高精細度テレビジョン受信機。
（５）前記受信機フロント・エンドからの前記パルス信号は、正と負の周波数スペクトル像を有するベースバンド近傍の信号であり、各スペクトル像は、限られた帯域幅を有し、低周波数帯域のエッジでスカート状を呈し、
前記搬送波トラッキング・ループは、前記スカート状の部分がＤＣ付近で重なるように前記正と負の周波数スペクトル像をベースバンドに変換して、ＤＣ付近では前記追加の歪みを生み出し、他の位置では追加の歪みを生み出さない、（４）に記載の受信機。
（６）前記受信機フロント・エンドからの前記パルス信号は平方根二乗余弦の周波数特性を呈し、
前記ベースバンド・パルス信号は、ＤＣ付近では歪んだ平方根二乗余弦の周波数特性を呈し、他の位置では平方根二乗余弦の周波数特性を呈し、
前記整合フィルタは、ＤＣ付近では、ＤＣ付近の前記歪みを補償するように変更された変更済み平方根二乗余弦の応答特性を呈し、他の位置では平方根二乗余弦の応答特性を呈する、（５）に記載の受信機。
（７）ＤＣ付近の前記追加の歪みはピークであり、
前記整合フィルタはＤＣ付近で対応する谷を呈する、（５）に記載の受信機。
（８）前記受信機フロント・エンドからの前記信号は更に、前記ベースバンド近傍の信号の前記正と負の周波数スペクトル像の低周波数のスカート状の部分の内側の周波数に位置するそれぞれの正と負の周波数像を有するパイロット・トーンを含んでおり、
前記搬送波トラッキング・ループは、前記正と負のパイロット・トーン像がＤＣに変換されるように、前記正と負の周波数スペクトル像を変換する、（５）に記載の受信機。
（９）前記整合パルス整形フィルタの周波数応答Ｓ（ｆ）が、以下のタイプであり、
【数５】
2004080757.tif 000007
上式で、ｆは周波数（Ｈｚ）であり、βはロールオフ・パラメータであり、０≦β≦１であり、Ｋは定数であり、Ｔ＝１／Ｂであり、Ｂは前記受信信号の通過帯域の帯域幅（Ｈｚ）である、（６）に記載の受信機。
【図面の簡単な説明】
【図１】本発明の原理による、高精細度テレビジョン（ＨＤＴＶ）受信機の一部のブロック図である。
【図２】図１に示した受信機部分の動作を理解する上で有用なスペクトル図である。
【符号の説明】
２０２　アナログ・ディジタル変換器（ＡＤＣ）
２０４　搬送波トラッキング・ループ（ＣＴＬ）
２０６　シンボル・トラッキング・ループ（ＳＴＬ）
２０８　同期検出器
２１０　等化器
２１２　位相トラッキング・ループ（ＰＴＬ）
２１４　整合パルス整形フィルタ
３０２　正のスペクトル成分
３０４　正のパイロット・トーン
３０６　負のスペクトル成分
３０８　負のパイロット・トーン
３１０　合成スペクトル
３１２　外側のスカート状の部分
３１４　外側のスカート状の部分
３１６　ＤＣ付近の周波数特性
３１８　一定部分
３２０　一定部分
３３０　ピークを補償するフィルタ特性
【図１】
2004080757.tif 000009
【図２】
2004080757.tif 000010